(57)【要約】【課題】引戸自閉装置において、構造を簡単にしてコストを低減し、全体に装置のコンパクト化を実現して薄型スライドレールを使って引戸を吊設する場合にも適用可能にする。【解決手段】引戸自閉装置Ｃは、第１引戸Ａ上に第１磁性体ｍ１を取り付け、両引戸Ａ・Ｂが全開したときに第１磁性体と対向する戸枠側の位置に駆動制御手段４０を設置し、駆動制御手段に、正常時に突出状態のプランジャ５０を異常発生時に励磁動作により引き込み状態にするソレノイド４４と、正常時は突出状態のプランジャにプランジャ係合部５３ａを係止した回転規制位置で保持され、異常発生時にソレノイドが励磁動作すると、プランジャからプランジャ係合部が外れて回動可能になるように軸支した回動カム４５とを備え、回動カムに、それが回転規制位置にあるとき引戸が全開されると、真向かいにある第１磁性体との磁気的吸引作用で引戸を全開位置で保持する第２磁性体ｍ２を付設する。【選択図】          図１
2006022480.tif 000002
【特許請求の範囲】
【請求項１】
引戸が全開すると、その全開位置で引戸を保持していったん停止させ、非全開の開位置にあるときは、その都度、引戸を自動的に閉止させると共に、異常発生時に引戸が全開位置で停止状態にあるときは、異常発生検知器と連動して引戸を閉止させる引戸自閉装置において、
引戸上端側に取り付ける第１磁性体と、引戸が全開位置にあるときに前記第１磁性体と対向する位置の戸枠側に設置して引戸の自閉動作をコントロールする駆動制御手段を備え、
該駆動制御手段は、
励磁動作に応じてプランジャを作動させるソレノイドと、
前記異常発生検知器から異常検知信号を受信しない正常時は前記プランジャに一端のプランジャ係合部を係止した回転規制位置で保持される一方、異常検知信号を受信した異常発生時に前記ソレノイドが励磁動作すると、そのプランジャから前記プランジャ係合部が外れて回動可能になるように軸支した回動カムとを備え、
該回動カムに、それが回転規制位置にあるときに引戸が全開されると、真向かいにある第１磁性体との磁気的吸引作用により引戸を全開位置で保持する第２磁性体を付設し、それら第１および第２磁性体の双方又は一方が永久磁石からなることを特徴とする、引戸自閉装置。
【発明の詳細な説明】
【技術分野】
【０００１】
本発明は、引戸が全開すると、その全開位置で引戸を保持していったん停止させ、非全開の開位置にあるときは、その都度、引戸を自動的に閉止させると共に、特に火災など異常を発生した緊急時に引戸が全開位置で停止状態にあるときは、異常発生検知器と連動して防災のため引戸を閉止させるようにした引戸自閉装置に関する。
【背景技術】
【０００２】
従来、この種の引戸自閉装置は、たとえば引戸を組み付ける戸枠の上枠部戸先寄りに設置され、うず巻きバネによって巻取方向に常時付勢したワイヤーを内装した引戸付勢手段を備えている。そして、付勢ワイヤーの自由端側を引戸上の戸車に掛け止め、把手を持って引戸を押し開くと、うず巻きバネに抗して付勢ワイヤーが繰り出され、開く途中で手を離すと、うず巻きバネで付勢ワイヤーを巻き取り、引戸を閉止方向へ引っ張って自動的に閉止させるようにしている。一方、この引戸自閉装置は、たとえば図１１に示すように、引戸ａの戸尻側上端に係止体ｂを搭載する一方、戸枠ｃの上枠部戸尻側に、舌片状の板バネからなるラッチ体ｄを作動させる駆動制御手段（緊急解除手段）ｅを設置している。
【０００３】
そして、この従来の引戸自閉装置では、引戸ａを押し開いて全開位置に近づくと、その戸尻側で係止体ｂが、ラッチ体ｄに当接して該ラッチ体ｄを押し上げながら通過し、ラッチ体ｄを越えるとそれと係合し、引戸ａは全開位置でいったん停止される。しかる後、全開位置で停止した引戸ａを閉止する場合は、把手を持って引戸ａを押し引くと、係止体ｂによりラッチ体ｄが押し上がって係合状態が解除され、その後、手を離せば上記引戸付勢手段のワイヤー巻取作用によって引戸ａは自動的に閉止する。
【０００４】
さて、引戸ａが全開位置で停止状態にある場合に、異常発生検知器が火災などの異常発生を検知すると、たとえば図１２に示すように、異常検知信号を受けたソレノイド１が励磁されてプランジャ１ａを引き込むと、そのプランジャ１ａの先端に、支軸２ａを中心として回動可能に連結されたＬ状フック２が図中反時計方向へ回動し、ランナー３に突設した係止ピン３ａとの係合が外れ、ランナー３が作動用スプリング４のバネ付勢力で図中矢印方向へと移動する。すると、ランナー３の移動に伴い、そのランナー３と可動板６とを連結ピン５ａで連結したリンク５を介し、可動板６が回動ピン６ａを支点として上方へ回動し、該可動板６の下面に設けたラッチ体ｄも上方の退避位置へ回動して係止体ｂとの係合が外れ、引戸ａの停止状態が解除される。これにより、引戸ａは、上記引戸付勢手段のワイヤー巻取作用により引っ張られて自動的に閉止方向へ移動し、戸枠ｃの開口部を閉鎖して火災による煙の流出入や延焼を未然に防止しようとする。
【特許文献１】特開平１１−３０３４８９号公報
【発明の開示】
【発明が解決しようとする課題】
【０００５】
従来の引戸自閉装置は、そもそもソレノイド１が少ない消費電力で出力する駆動装置であるため、異常発生時に引戸ａの停止状態を解除するときに、斯かるソレノイド１の駆動力でもラッチ体ｄが退避位置へ回動するように、ソレノイド１とラッチ体ｄ間には、作動用スプリング４の他に、Ｌ状フック２やランナー３やリンク５や可動板６等からなる駆動力増幅機構を介在させた構造になっている。しかし、これでは、駆動制御手段ｅの構造が複雑になり、それだけ部品点数も増大してコスト高を招くという問題があった。しかも、装置全体が大型になるため、それだけ戸枠ｃの上枠部側に装置の設置スペースを上下方向に余計に確保する必要があり、最近、戸車構造に代え、薄板なスライドレールを使って引戸を吊設し、引戸取付構造のコンパクト化と省スペース化を図ろうとする技術開発傾向に逆行するという課題があった。
【０００６】
そこで、本発明の目的は、上述のような引戸自閉装置において、従来の課題を解決し、構造を簡単にしてコストを低減し、しかも、全体に装置のコンパクト化を実現して薄型なスライドレールを使って防災用引戸を吊設する場合にも適用可能にすることにある。
【課題を解決するための手段】
【０００７】
上記した発明の目的を達成すべく、請求項１に記載の発明は、引戸が全開すると、その全開位置で引戸を保持していったん停止させ、非全開の開位置にあるときは、その都度、引戸を自動的に閉止させると共に、異常発生時に引戸が全開位置で停止状態にあるときは、異常発生検知器と連動して引戸を閉止させる引戸自閉装置において、引戸上端側に取り付ける第１磁性体と、引戸が全開位置にあるときに前記第１磁性体と対向する位置の戸枠側に設置して引戸の自閉動作をコントロールする駆動制御手段を備え、該駆動制御手段は、励磁動作に応じてプランジャを作動させるソレノイドと、前記異常発生検知器から異常検知信号を受信しない正常時は前記プランジャに一端のプランジャ係合部を係止した回転規制位置で保持される一方、異常検知信号を受信した異常発生時に前記ソレノイドが励磁動作すると、そのプランジャから前記プランジャ係合部が外れて回動可能になるように軸支した回動カムとを備え、該回動カムに、それが回転規制位置にあるときに引戸が全開されると、真向かいにある第１磁性体との磁気的吸引作用により引戸を全開位置で保持する第２磁性体を付設し、それら第１および第２磁性体の双方又は一方が永久磁石からなることを特徴とする。
【発明の効果】
【０００８】
本発明の引戸自閉装置によれば、正常時に全開位置にある引戸は、向かい合った引戸側の第１磁性体と戸枠側の回動カムにある第２磁性体間の磁気的吸引作用で保持して停止する一方、異常発生時は、ソレノイドを励磁動作させて、プランジャからプランジャ係合部を外して回動カムを回動し、その第２磁性体を引戸側の第１磁性体からズレ動かして離隔させることによって引戸の停止状態を解除する構成であるため、従来の如く複雑な駆動力増幅機構を介在させることのない簡単な構造とし、それだけ部品点数を少なくしてコストを著しく低減することができる。また、全体に装置のコンパクト化を実現し、それだけ戸枠の上枠部側に装置の設置スペースを余計に確保する必要がなく、そのため戸車方式に限らず、薄型なスライドレールを使って防災用引戸を吊設する場合にも、そのまま適用することができる。
【発明を実施するための最良の形態】
【０００９】
以下、図面を参照しつつ、本発明の実施の形態について説明する。
【００１０】
図１は、本発明の一例である引戸自閉装置を適用した引戸構造体の要部を拡大して示す分解斜視図、図２は、その引戸自閉装置を適用した引戸構造体全体を示す分解斜視図である。図１および図２において、符号Ａ・Ｂは、図示省略した戸枠の上枠部に、連動的にスライドさせて戸枠の開口部を開閉する、所謂２連片引式の防災用引戸で、図中右の戸枠奥寄りの引戸を第１引戸Ａとし、図中左の手前寄りの引戸を第２引戸Ｂとする。図示例の両引戸Ａ・Ｂは、第２引戸Ｂのスライドに連動して第１引戸がスライドするようにスライドレール装置Ｒを介して前記戸枠の上枠部に吊設している。
【００１１】
スライドレール装置Ｒは、第１引戸Ａをスライドさせる第１スライドレール体ｒ１と、第２引戸Ｂをスライドさせる第２スライドレール体ｒ２と、第１引戸Ａを第１スライドレール体ｒ１に取り付ける第１取付金具ユニットａ１と、第２引戸Ｂを第１スライドレール体ｒ１に取り付ける第２取付金具ユニットａ２と、第１引戸Ａと第２引戸Ｂを連結する連動ワイヤーＷ１を備えた構造になっている。
【００１２】
スライドレール体ｒ１・ｒ２は、共にアウターレール１０と、２本のインナーレール１１と、リテーナ１２とを備え、全体に薄板なスライドレール構造に組み立ててなる。アウターレール１０は、帯状の金属プレートをプレスで成形し、図３に示すように、平らな取付板部１０ａの両側縁を互いに向き合う内向きに湾曲させて、そこにボールガイド部１０ｂを形成している。インナーレール１１は、アウターレール１０の長さに所定の開閉ストロークの距離を差し引いた長さサイズの帯状金属プレートを用いてプレスで成形し、中央で断面略コ形状に屈曲させた取付部１１ａの両側縁を互いに離れる外向きに湾曲させて、そこにボールガイド部１１ｂを形成してなる。リテーナ１２は、長尺な金属プレートを用いて曲げ成形し、平行なリテーナ本体部１３・１３に、コ状に屈曲させた多数の支持片部１３ａ…を連設し、各支持片部１３ａにそれぞれ保持穴を形成し、それら保持穴にそれぞれ金属製の小径ボール１４を嵌着して転動自在に保持してなる。
【００１３】
そして、リテーナ１２を、アウターレール１０に対し、保持したボール１４を左右のボールガイド部１０ｂに係合して嵌入し、次いで、インナーレール１１を、左右のボールガイド部１１ｂをボール１４に係合させてリテーナ１２内に嵌入し、リテーナ１２を介してアウターレール１０に相対的に摺動可能に嵌合し、スライドレール体ｒ１・ｒ２をそれぞれ組み立てる。スライドレール体ｒ１・ｒ２は、それぞれインナーレール１１を摺動させると、ボール１４…が両レール１０・１１間で転動し、それらボール１４に押されてリテーナ１２がアウターレール１０に対して所定開閉ストロークの略１／２分だけ移動すると同時に、一方で、インナーレール１１がアウターレール１０に対し所定開閉ストロークだけ相対移動するように設定されている。
【００１４】
第１取付金具ユニットａ１は、図１および図２に示すように、第１引戸Ａの上端面において、それぞれ木口面寄りの戸先側と戸尻側に細長い取付プレート１５・１６をねじ止めし、それら取付プレート上の片側にそれぞれレール取付金具１７・１８を軸支し、他側に滑車１９・２０を軸支して組み付けてなる。第２取付金具ユニットａ２は、第２引戸Ｂの上端面において、同様にそれぞれ木口面寄りの戸先側と戸尻側に取付プレート２１・２２をねじ止めし、それら取付プレート上にそれぞれレール取付金具２３・２４を軸支して組み付け、特に、戸尻側取付金具２４に、ワイヤー連結プレート２５を立ててねじ止めしてなる。
【００１５】
連動ワイヤーＷ１は、有端状の金属ワイヤーで、両端をローラ形状のワイヤーリング２６に繋いでループ状に形成する。そして、斯かる連動ワイヤーＷ１は、ワイヤーリング２６を、後述する前記戸枠の上枠部の所定まぐさ位置に固着し、全体を第１引戸Ａ上で滑車１９・２０間に掛け回す一方、そのワイヤー途中を第２引戸Ｂ上のワイヤー連結プレート２５に止着し、これにより、両引戸Ａ・Ｂを連動して移動可能に連結してなる。なお、連動ワイヤーＷ１は、テンション調整金具２７で張り具合いを調整して滑車１９・２０間に張り渡されている。
【００１６】
以上の構成部品からなるスライドレール装置Ｒは、スライドレール体ｒ１・ｒ２を横向きに寝かせて配置し、各アウターレール１０を前記上枠部の天井側に固定して並列的に敷設し、下向きの各一対のインナーレール１１に対し、それぞれ取付金具ユニットａ１・ａ２を介して引戸Ａ・Ｂを組み付ける。これによって、両引戸Ａ・Ｂは、前記戸枠の上枠部に、戸枠開口部の左右開閉方向へ連動してスライドするように吊設される。従って、たとえば引戸閉時に、戸枠開口部を全開させた全開位置にある第２引戸Ｂを閉止方向へ引き出すと、これに従って連動ワイヤーＷ１が引っ張られ、そのループ形状の位置が閉止方向へ移動し、この第２引戸Ｂの動き出しに対し連動して第１引戸Ａが少し遅れて引き出される。こうして両引戸Ａ・Ｂが順次連動的にスライドして戸枠開口部を全閉させる。
【００１７】
さて、このようにスライドレール装置Ｒでスライドさせて開閉する引戸Ａ・Ｂは、それらが半開きなど非全開の開位置にあるとき又は火災などの異常発生時に全開位置にあるときには、本発明の引戸自閉装置Ｃが作動して自動的に閉止するようになっている。
【００１８】
図示例の引戸自閉装置Ｃは、図１および図２に示すように、引戸Ａ・Ｂを自閉動作させるゼンマイ式駆動手段３０と、ゼンマイ式駆動手段３０に備えた付勢ワイヤーＷ２を第２引戸Ｂに連結するワイヤー連結手段３５と、両引戸Ａ・Ｂの自閉動作をコントロールする駆動制御手段４０とからなる。
【００１９】
ゼンマイ式駆動手段３０は、前記戸枠の上枠部戸先寄りに固定している。斯かるゼンマイ式駆動手段３０は、図示省略するが、うず巻きバネとそれと同軸にワイヤーリールを内蔵すると共に、ワイヤーリールにワイヤー基端を固定して付勢ワイヤーＷ２を巻装し、うず巻きバネのばね力によって常時巻き取る方向に常時付勢して内装した構造になっている。そして、付勢ワイヤーＷ２の先端を、後述するとおり、第１引戸Ａ上に搭載したワイヤー連結手段３５に連結してなる。
【００２０】
ワイヤー連結手段３５は、図４および図５に示すように、金属製の取付プレート２８と、樹脂製ブロック２９と、矩形板片状をなす永久磁石の第１磁性体ｍ１とからなる。取付プレート２８は、長尺な金属板を曲げ成形し、細長い一端側の取付板部２８ａおよび他端側の一段幅広な取付板部２８ｂと、両取付板部間の片側側縁から図中下向きにＬ板状に屈曲させたワイヤー係止片２８ｃとからなる。樹脂製ブロック２９は、片側側面２９ａに第１磁性体ｍ１の外形状に合わせて取付凹部２９ｂを形成し、取付凹部２９ｂに第１磁性体ｍ１を嵌め付けてねじ止めし、取付用長穴２９ｃに止めネジ３１を通して取付プレート２８の他側取付板部２８ｂの下面に固定している。そこで、ワイヤー連結手段３５は、図１でも示すように、第１磁性体ｍ１を前記戸枠の上枠部側に向けて、取付プレート２８の取付板部２８ａを、第１引戸Ａ上の第１取付金具ユニットａ１におけるレール取付金具１７と、スライドレール体ｒ１の戸先側インナーレール１１との間に挟んで止めネジ３２で挟着してなる。
【００２１】
そして、斯かるワイヤー連結手段３５には、ワイヤー係止片２８ｃに付勢ワイヤーＷ２の先端を止めネジ３３で固着して連結している。従って、不図示の把手を持って、第２引戸Ｂを第１引戸Ａと共に図中右方向の開位置へと移動させると、付勢ワイヤーＷ２は、ゼンマイ式駆動手段３０のうず巻きバネに抗してワイヤーリールから繰り出される一方、把手から手を離すと、今度は、うず巻きバネの付勢力でワイヤーリールに巻き取られ、この巻き取り作用によって第２引戸Ｂを第１引戸Ａと共に開位置から強制的に図中左の閉止方向へスライドさせるようになっている。
【００２２】
一方、本発明の引戸自閉装置Ｃにおいて、駆動制御手段４０は、前記戸枠の上枠部戸尻寄りに設置し、図１および図６に示すように、金属板を断面Ｌ状に曲げ成形して取付板部４１ａ・４１ｂを形成した固定プレート４１と、固定プレート４１の取付板部４１ａに片側（図中左側）から順に並べて組み付けた、端子台４２と、マイクロスイッチ４３と、ソレノイド４４と、回動カム４５を備えてなる。
【００２３】
固定プレート４１には、取付板部４１ａの他側に、幅方向に長い矩形な回動規制穴４１ｃが設けている。この回動規制穴４１ｃと隣接した位置には、前記連動ワイヤーＷ１のワイヤーリング２６を取り付ける取付軸５５が突設されている。端子台４２は、図７に概略的に示すように、ＡＣ電源４６に繋いだ通電制御盤４７を介し異常発生検知器としての火災検知器４８と電気的に接続されている。火災検知器４８は、例えば煙や温度を検出すると、異常検知信号を引戸閉鎖指令として出力し通電制御盤４７へ送信する。通電制御盤４７は、火災検知器４８からの異常検知信号の有無とマイクロスイッチ４３のオンオフに応じて判断し、ソレノイド４４を通電制御する。
【００２４】
マイクロスイッチ４３は、ソレノイド４４と対向する片側側面に接点バネ４３ａ（図６参照）を有し、端子台４２と電気的に接続されている。ソレノイド４４は、図１および図６に示すように、マイクロスイッチ４３と対向する片側端部に、反対側のプランジャ５０と連動して出没自在に往復動する作動ピン５１を、接点バネ４４ａに対し常時圧接させた状態で突設してなる。そして、通電制御盤４８が異常検知信号を受信しない正常時は、ソレノイド４４は、通電制御盤４８から通電されず、図８（Ａ）に示すように、プランジャ５０が一段突出した固定状態にある一方、マイクロスイッチ４３は、一段引き込んだ作動ピン５１によって接点バネ４４ａを起されたオフの状態にある。
【００２５】
次に、回動カム４５は、図６および図８（Ａ）に示すように、やや長手で厚肉な樹脂製のカム板５３を有する。カム板５３は、長さ方向一端に、その上側を一部切り欠いて段状に形成したプランジャ係合部５３ａを設ける一方、他端に、幅方向片側へ向けて一部を突出させて形成した係合突部５３ｂを設けると共に、係合突部５３ｂと反対の幅方向他側の側面５３ｃにおいて、係合突部５３ｂ寄りに磁石取付凹部５３ｄを設けてなる。
【００２６】
更に、回動カム４５は、カム板５３の磁石取付凹部５３ｄに、矩形板片状をなす永久磁石の第２磁性体ｍ２を嵌め付けてねじ止めしている。駆動制御手段４０は、固定プレート４１の取付板部４１ａに、この回動カム４５を、プランジャ係合部５３ａの有する他端寄りにおいて、支軸５４を中心として回動可能に取り付ける。そして、斯かる回動カムを、係合突部５３ｂを回動規制穴４１ｃの上穴縁に係止させる一方、プランジャ係合部５３ａを、図示正常時は突出状態にあるソレノイド４４のプランジャ５０に係止させた水平な回転規制位置に保持してなる。斯かる構造の駆動制御手段４０は、回動カム４５側を図中手前の引戸Ａ・Ｂ側に向けて、前記戸枠の上枠部天井側に固定プレート４１の取付板部４１ｂをねじ止めする。そして、両引戸Ａ・Ｂを全開したときに、図８（Ａ）に示すように、第１引戸Ａ側の第１磁性体ｍ１と、回転規制位置にある回動カム４５側の第２磁性体ｍ２とが対向し、その間に僅かな隙間をあけて重なり合う位置で固定してなる。
【００２７】
さて、上述した構成の引戸自閉装置Ｃでは、正常時において、例えば全閉位置にある引戸Ａ・Ｂを開くときは、把手を持ち、第２引戸Ｂを開方向へ引いて、第１引戸Ａを連動ワイヤーＷ１を介して連動的にスライドさせると、付勢ワイヤーＷ２がゼンマイ式駆動手段３０からうず巻きバネに抗してワイヤーリールから繰り出され、両引戸Ａ・Ｂをそのまま開くことができる。このとき、必要に応じ、この開動作途中に把手から手を離すと、ゼンマイ式駆動手段３０のうず巻きバネの付勢力で付勢ワイヤーＷ２がワイヤーリールに巻き取られ、この巻き取り作用で第１引戸Ｂを引っ張り、連動ワイヤーＷ１を介して第２引戸Ｂも連動的に引っ張り込んで、両引戸Ａ・Ｂを、途中の開位置から閉止方向へ強制的にスライドさせて戸枠開口部を自動的に閉止する。
【００２８】
一方、開動作を途中で止めずに、戸枠開口部が全開する位置まで両引戸Ａ・Ｂを開くと、第１引戸Ａ上のワイヤー連結手段３５にある第１磁性体ｍ１と、駆動制御手段４０の回動カム４５にある第２磁性体ｍ２とが真向かいに対向する。すると、磁性体ｍ１・ｍ２が磁気的に吸引し合い、この吸引作用で両引戸Ａ・Ｂを全開位置で保持し、いったん停止させる。
【００２９】
そして、戸枠開口部を人などが通過して後、全開位置に停止した引戸Ａ・Ｂを閉止させる場合は、把手を持って第２引戸Ｂを押し、磁気的吸引力に抗して第２磁性体ｍ２から第１磁性体ｍ１を引き離して第２引戸Ｂを閉止方向へ引き寄せる。すると、その後は、把手から手を離せば、上述したと同様にゼンマイ式駆動手段３０の付勢ワイヤーＷ２の巻き取り作用で両引戸Ａ・Ｂを引っ張って連動的にスライドさせ、戸枠開口部を自動的に閉止する。
【００３０】
他方、引戸Ａ・Ｂが全開位置で停止状態にあるときに、図７で示した火災検知器４８が異常を検知すると、異常検知信号を引戸閉鎖指令として出力し通電制御盤４７へ送信する。すると、通信制御盤４７は、引戸閉鎖指令に従ってソレノイド４４を通電する。ソレノイド４４は、通電されると励磁状態となり、図８（Ｂ）に示すように、プランジャ５０を引き込む一方、反対に作動ピン５１を突出させてマイクロスイッチ４３をオンする。すると同時に、回動カム４５は、プランジャ係合部５３ａがプランジャ５０から外れて回転規制状態が解除される。そのため、回動カム４５は、その長さ方向他端寄りにある支軸５４を支点として、その支軸４５より一端部側の重さで図中時計方向へ僅かに回動し、それに従って第１引戸Ａ側の第１磁性体ｍ１に対し、回動カム４５側の第２磁性体ｍ２がズレ動いて互いの磁気的吸引力が弱められ、それが契機となって、第１引戸Ａがゼンマイ式駆動手段３０のうず巻きバネの付勢力によって閉止方向へ移動し始める。すると、この第１引戸Ａの移動に従って、回動カム４５側の第２磁性体ｍ２に対し第１引戸Ａ側の第１磁性体ｍ１が更にズレ動き、このとき磁性体ｍ１・ｍ２間に発生する磁力の変化に引っ張られて回動カム４５は更に回動し、図８（Ｃ）および図９に示すように、係合突部５３ｂが回動規制穴４１ｃの下穴縁に当たる退避位置まで回動する。その結果、第１磁性体ｍ１と第２磁性体ｍ２は互いに離隔され、図８（Ｄ）および図１０に示すように、引戸Ａ・Ｂの停止状態が解除される。
【００３１】
そのように停止状態が解除されると、引戸Ａ・Ｂは、上述したと同様に、ゼンマイ式駆動手段３０の付勢ワイヤーＷ２の巻き取り作用で両引戸Ａ・Ｂを引っ張って連動的にスライドさせ、戸枠開口部を自動的に全閉し、火災による延焼や煙の流出入を防止する。なお、この異常発生時に、上述のようにソレノイド４４の作動ピン５１に押されてマイクロスイッチ４３がオンしたとき、それに基づいて通電制御盤４７では、引戸自閉装置Ｃで引戸Ａ・Ｂを自動閉止させるために作動したことを確認し、これ以上のソレノイド４４への通電を遮断する。
【００３２】
ところで、図示例の引戸自閉装置Ｃは、第１磁性体ｍ１と第２磁性体ｍ２の双方が永久磁石であったが、本発明では、第１磁性体ｍ１と第２磁性体ｍ２のいずれか一方が永久磁石からなり、他方を鉄片などの磁性体を用いて構成することもできる。
【図面の簡単な説明】
【００３３】
【図１】本発明の一例である引戸自閉装置を適用した引戸構造体の要部を拡大して示す分解斜視図である。
【図２】その引戸構造体の全体を示す分解斜視図である。
【図３】スライドレール装置の構造を示す端面図である。
【図４】ワイヤー連結手段の分解斜視図である。
【図５】引戸全開時に駆動制御手段で引戸を停止状態で保持した引戸自閉装置の要部を示す斜視図である。
【図６】図５における駆動制御手段を別の角度から見て示す斜視図である。
【図７】引戸自閉装置と火災検知器の電気的接続構成を説明するブロック図である。
【図８】駆動制御手段の動作を段階的に説明する正面図である。
【図９】駆動制御手段を、回動カムが退避位置に回動した状態において示す斜視図である。
【図１０】駆動制御手段で引戸の停止状態を解除した状態において、引戸自閉装置の要部を示す斜視図である。
【図１１】従来の引戸自閉装置で全開した引戸を停止させた状態を示す部分正面図である。
【図１２】その従来の引戸自閉装置の要部構造を示す正面図である。
【符号の説明】
【００３４】
Ａ          第１引戸
Ｂ          第２引戸
Ｃ          引戸自閉装置
Ｒ          スライドレール装置
Ｗ１        連動ワイヤー
Ｗ２        付勢ワイヤー
ｍ１        第１磁性体
ｍ２        第２磁性体
ｒ１・ｒ２  スライドレール体
１０        アウターレール
１１        インナーレール
１２        リテーナ
１４        ボール
３０        ゼンマイ式駆動手段
４０        駆動制御手段
４４        ソレノイド
４５        回動カム
４８        火災検知器（異常発生検知器）
５０        プランジャ
５３ａ      プランジャ係合部
【図１】
2006022480.tif 000003
【図２】
2006022480.tif 000004
【図３】
2006022480.tif 000005
【図４】
2006022480.tif 000006
【図５】
2006022480.tif 000007
【図６】
2006022480.tif 000008
【図７】
2006022480.tif 000009
【図８】
2006022480.tif 000010
【図９】
2006022480.tif 000011
【図１０】
2006022480.tif 000012
【図１１】
2006022480.tif 000013
【図１２】
2006022480.tif 000014